(57)【特許請求の範囲】
【請求項１】
外郭ケースの中に誘導加熱装置と冷却装置と制御装置を配設してなる本体ユニットと、ガラス製のトッププレートの下面にアンダーフレームを構成し、前記アンダーフレームを前記本体ユニットの上方開口部を覆うように載置、固定してなる構成において、前記トッププレートとキッチン穴開口との隙間をシーリング剤で埋めて固定し前記トッププレートの上面はキッチン天面と略同一平面を構成した対面キッチンでキッチン側及びリビング側の両側から調理可能な操作部ユニットを具備するとともに、前記トッププレートの下方に配設された複数個の前記誘導加熱装置が前記キッチン側あるいは前記リビング側のどちらからでも同じ姿勢で調理できるよう配設されかつ前記キッチン天面の長手方向に平行に略一列に配設されるとともに、前記トッププレートを接着固定せずに支持接触する前記アンダーフレームは、キッチンキャビネットの前記キッチン天面の下方に一体に接着されたサンギにビス締め固定された組込み型誘導加熱調理器。
【請求項２】
前記操作部ユニットは、キッチン側及びリビング側に対向してそれぞれ前記キッチン天面の手前に配設され、前記キッチンキャビネット内に収納可能な摺動構成とした２つの前記操作部ユニットを具備した請求項１に記載の組込み型誘導加熱調理器。
【請求項３】
前記操作部ユニットは、キッチン側及びリビング側に対向してそれぞれ前記トッププレートに静電タッチ方式で操作可能なスイッチを設けた２つの前記操作部ユニットを具備した請求項１に記載の組込み型誘導加熱調理器。
【発明の詳細な説明】
【技術分野】
【０００１】
本発明は、主に家庭用のキッチンに組み込まれる組込み型誘導加熱調理器に関し、特に対面キッチンでどちら側からでも調理操作のアクセスが可能なフルフラットの調理天面構成に関するものである。
【背景技術】
【０００２】
従来、この種の家庭用のキッチンに組み込まれる組込み型誘導加熱調理器の加熱調理面を構成するガラスプレートは、その端面を金属フレームで覆い、キッチン天面の上に載置するように構成したアイランドキッチンに搭載されたものが一般的である（例えば、特許文献１参照）。
【０００３】
図８は従来の組込み型誘導加熱調理器の要部断面図、図９は従来の組込み型誘導加熱調理器の斜視図を示すものである。
【０００４】
図８、図９に示すように本体ユニット７０は外郭ケース７１の中に３口の誘導加熱装置７２と冷却装置７３と制御装置７４を配設して構成し、トップユニット７５はトップフレーム７６の下方にトッププレート７７とさらにその下方にアンダーフレーム７８を配設し、トップフレーム７６とトッププレート７７とアンダーフレーム７８を互いに接着、かしめて固定している。
【０００５】
ここで本体ユニット７０の上方開口部を覆うようにトップユニット７５を載置して、アンダーフレーム７８に溶接された取付金具７９で外郭ケース７１とビス締め固定され、キッチン天面８０に配設されたキッチン穴開口８１に本体ユニット７０が収まり、キッチン天面８０の上にアンダーフレーム７８が載置されるようにキッチンに組み込まれる。
【０００６】
このときトッププレート７７下方に配設された誘導加熱装置７２の加熱部８２は、三角状に配設されキッチン天面８０の前面から冷却装置７３で外気を取り込むための吸気口８３を設け、トップユニット７５の天面後方背面に内部冷却後の熱気を外に排出するための排気口８４を配設している。
【０００７】
このような構成において、本体ユニット７０の前面に配設された操作部ユニット８６を操作して、制御装置７４により加熱調理がされる。
【０００８】
なお定められたキッチンモジュールに対して、トップユニット７５と非調理スペース８５が配設されている。
【特許文献１】特開２００５−２６５２０９号公報
【発明の開示】
【発明が解決しようとする課題】
【０００９】
しかしながら、前記従来の構成では、キッチン天面８０にアンダーフレーム７８が載置されているため、トップユニット７５を構成するトップフレーム７６とトッププレート７７とアンダーフレーム７８とを重ねた厚み分だけ、トップユニット７５の全周でキッチン天面８０との段差を生じ、調理時や、清掃時にお手入れ性や使い勝手が悪いという課題を有していた。
【００１０】
また、トップユニット７５の天面後方に排気口８４を配設しているため、開口部へ水や埃や調理物が浸入する恐れがあり、凸凹形状により清掃性、デザイン性が悪いという課題
を有していた。
【００１１】
また、トッププレート７７下方に配設された誘導加熱装置７２の加熱部８２は、三角状に配設され、トップユニット７５の天面後方背面に排気口８４を配設しているため、トップユニット７５の奥行寸法が大きくなり、定められたキッチンモジュールに対して非調理スペース８５が狭くなり、調理前の下ごしらえスペースが近くにないとか、調理物を入れる皿を近くに置くことができないなど、料理全般を考えたキッチンスペースとして、不便で使い勝手が悪いという課題を有していた。
【００１２】
また、アイランドキッチンでありながらたとえばリビング側からの調理操作ができず、しかもキッチン天面８０がフラットではないので、一家団欒でキッチン天面８０を利用して、食事をすることができないという課題を有していた。
【００１３】
本発明は、前記従来の課題を解決するもので、キッチン天面との段差がなく開口部もないフルフラット構成とし、キッチン側およびリビング側の両側から調理操作可能な操作部を有し、調理中または調理後一家団欒で食卓として兼用することも可能な使い勝手がよく、デザイン性に優れた組込み型の誘導加熱調理器を提供することを目的とする。
【課題を解決するための手段】
【００１４】
前記従来の課題を解決するために、本発明の組込み型誘導加熱調理器は、外郭ケースの中に誘導加熱装置と冷却装置と制御装置を配設してなる本体ユニットと、ガラス製のトッププレートの下面にアンダーフレームを構成し、前記アンダーフレームを前記本体ユニッ
トの上方開口部を覆うように載置、固定してなる構成において、前記トッププレートとキッチン穴開口との隙間をシーリング剤で埋めて固定し前記トッププレートの上面はキッチン天面と略同一平面を構成した対面キッチンでキッチン側及びリビング側の両側から調理可能な操作部ユニットを具備するとともに、前記トッププレートの下方に配設された複数個の前記誘導加熱装置が前記キッチン側あるいは前記リビング側のどちらからでも同じ姿勢で調理できるよう配設してかつ前記キッチン天面の長手方向に平行に略一列に配設されるとともに、前記トッププレートを接着固定せずに支持接触する前記アンダーフレームは、キッチンキャビネットの前記キッチン天面の下方に一体に接着されたサンギにビス締め固定されたものである。
【００１５】
これによって、トップユニットの上面に開口部がなくなり、すっきりしたフルフラットになり、調理スペースを確保することができる。また、トッププレートをキッチンキャビネットの天面の一部品として組立てることができる。また、本体ユニットに内蔵するいずれかの部品が故障したり異常を生じた場合に、ビスを外すことでキッチン天面から、本体ユニットを簡単に外して修理、交換することができる。
【発明の効果】
【００１６】
本発明の組込み型誘導加熱調理器は、キッチン天面とトッププレートの上面が段差のない略同一面のフルフラットなデザイン性、清掃性、操作性に優れ、フルフラットな調理スペースを確保し、キッチン天面を食卓としても格段に広く使うことができ、一家団欒のスペースとして、便利で使い勝手をよくするものである。また、トッププレートをキッチンキャビネットの天面の一部品として組立てることができる。また、本体ユニットに内蔵するいずれかの部品が故障したり異常を生じたりした場合に、ビスを外すことでキッチン天面から、本体ユニットを簡単に外して修理、交換することができる。
【発明を実施するための最良の形態】
【００１７】
第１の発明は、外郭ケースの中に誘導加熱装置と冷却装置と制御装置を配設してなる本体ユニットと、ガラス製のトッププレートの下面にアンダーフレームを構成し、前記アンダーフレームを前記本体ユニットの上方開口部を覆うように載置、固定してなる構成において、前記トッププレートとキッチン穴開口との隙間をシーリング剤で埋めて固定し前記トッププレートの上面はキッチン天面と略同一平面を構成した対面キッチンでキッチン側及びリビング側の両側から調理可能な操作部ユニットを具備するとともに、前記トッププレートの下方に配設された複数個の前記誘導加熱装置が前記キッチン側あるいは前記リビング側のどちらからでも同じ姿勢で調理できるよう配設されかつ前記キッチン天面の長手方向に平行に略一列に配設されるとともに、前記トッププレートを接着固定せずに支持接触する前記アンダーフレームは、キッチンキャビネットの前記キッチン天面の下方に一体に接着されたサンギにビス締め固定されることにより、対面キッチンとして両側からの調理操作が可能になり、しかもキッチン天面がフルフラットであるため両側から腰掛けて、調理をしながら食卓テーブルとして一家団欒で調理や食事を楽しむことができる。また、トッププレートをキッチンキャビネットの天面の一部品として組立てることができる。また、本体ユニットに内蔵するいずれかの部品が故障したり異常を生じた場合に、ビスを外すことでキッチン天面から、本体ユニットを簡単に外して修理、交換することができる。
【００２０】
第２の発明は、特に、第１の発明の前記操作部ユニットをキッチン側及びリビング側に対向してそれぞれ前記キッチン天面の手前に配設して、前記キッチンキャビネット内に収納可能な摺動構成とした２つの前記操作部ユニットを具備することにより、対面キッチンとして両側からの調理操作が可能になり、しかも使いやすい位置に配設でき使用しないときには邪魔にならないように収納してすっきりとしたデザインにすることができる。
【００２１】
第３の発明は、特に、第１の発明の操作部ユニットをキッチン側及びリビング側に対向してそれぞれ前記トッププレートに静電タッチ方式で操作可能なスイッチを設けた２つの前記操作部ユニットを具備することにより、使いやすくキッチン天面からの突出もなくデザイン性を向上することができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における組込み型誘導加熱調理器のキッチン組込み時の要部断面図、図２は本発明の第１の実施の形態における組込み型誘導加熱調理器のキッチン組込み時の斜視図を示すものである。
【００２６】
図１、図２において、本体ユニット１は外郭ケース２の中に鉄鍋系加熱用の２つの誘導加熱装置３ａ、３ｂと２つの制御装置４ａ、４ｂと２つの冷却装置５ａ、５ｂを内蔵し、さらにアルミなべ系加熱用の１つの誘導加熱装置３ｃと１つの制御装置４ｃと１つの冷却装置５ｃを内蔵している。
【００２７】
次に高強度、高耐熱ガラス製のトッププレート６の下方にアンダーフレーム７を配設し接着剤８で固定している。
【００２８】
ここで本体ユニット１は、その上方開口部を覆うようにアンダーフレーム７に着脱自在に嵌合しビス締め固定され、トッププレート６と一体に構成される。
【００２９】
このときそれぞれの誘導加熱装置３ａ、３ｂ、３ｃはキッチン天面９の長手方向に平行かつキッチン側およびリビング側の両側からのアクセスに対して同じ姿勢で対峙できるようトッププレート６の下方に横一列に配列されている。
【００３０】
この誘導加熱調理器本体１０をキャビネット１４に組み込む際にキッチン天面９に配設したキッチン穴開口１１の段落ち部１２にトッププレート６の下面を載置、嵌合して互いの隙間をシーリング剤１３で埋めて固定しキッチン天面９とトッププレート６が略同一平面となるよう構成している。
【００３１】
ここで、操作部ユニット１５はキッチン側およびリビング側の両側からのアクセスに対して操作可能な位置にキッチン天面９に穴を設けて埋設され、電気的に制御装置４ａと４ｂと４ｃに接続している。なおキッチン天面９に隣接してシンクが配設されて構成している。
【００３２】
以上のように構成された組込み型誘導加熱調理器について、以下その動作、作用を説明する。
【００３３】
まず、トッププレート６の上面は、キッチン天面９と段差のない同一平面で構成され、隙間をシーリング剤１３で埋め、調理面およびその周辺に凹凸がなくすっきりきれいなデザインとなり、調理時の汚れや吹きこぼれをむらなくきれいに清掃できるよう作用する。
【００３４】
また、対面キッチンにおいて誘導加熱装置３ａ、３ｂ、３ｃはキッチン天面９の長手方向に平行かつキッチン側およびリビング側の両側からのアクセスに対して同じ姿勢で対峙できるようトッププレート６の下方に横一列に配列されているため、使い勝手がよく便利で、相互の鍋が干渉したり邪魔になったりすることがなくなべの移動もスムーズにできる。
【００３５】
さらに定められたキッチンの奥行モジュールに対してフラットな調理スペースを広く確保することができ、具材の下ごしらえから調理物の皿への盛り付けまで調理する傍らで作業でき頻繁に移動する手間が省け、またキッチン天面９を挟んで対面に腰掛ければ食卓テーブルとなり、便利で使い勝手がよく一家団欒で楽しむことのできる組込み型誘導加熱調理器を提供することができる。
【００３６】
以上のように、外郭ケースの中に誘導加熱装置と冷却装置と制御装置を配設してなる本体ユニットと、トッププレートの下面にアンダーフレームを構成し、アンダーフレームを本体ユニットの上方開口部を覆うように載置、固定してなる構成において、トッププレートの上面はキッチン天面と略同一平面を構成した対面キッチンでキッチン側及びリビング側の両側から調理可能な操作部ユニットを具備するとともに、トッププレートの下方に配設された複数個の前記誘導加熱装置が前記キッチン側あるいは前記リビング側のどちらからでも同じ姿勢で調理できるよう配設してかつ前記キッチン天面の長手方向に平行に略一列に配設することにより、トップユニットの上面に開口部がなくなり、すっきりしたフルフラットになり、調理スペースを確保することができ、対面キッチンとして両側からの調理操作が可能になり、しかもキッチン天面がフルフラットであるため両側から腰掛けて、調理をしながら食卓テーブルとして一家団欒で調理や食事を楽しむことができる。
【００３７】
また、本体ユニット１を構成する誘導加熱装置３ａ、３ｂは、鉄なべ系加熱用、誘導加熱装置３ｃは、アルミなべ系加熱用としているが、機能、仕様に合わせて種々の組合せの仕様とすることもできる。
【００３８】
（実施の形態２）
図３は、本発明の第２の実施の形態における組込み型誘導加熱調理器のキッチン組込み時の要部断面図である。
【００３９】
なお、本実施の形態２の基本構成は実施の形態１と同様であるので、その同様な部分の説明は省略し、相違点を中心に説明する。また、実施の形態１と同じ機能には同じ符号を付してその説明を省略する。
【００４０】
図３において、アンダーフレーム７をキッチン天面９の下方に一体に接着されたサンギ２０に固定ねじ２１でビス締め固定し、トッププレート６とアンダーフレーム７は接着剤８で接着固定せず、トッププレート６をアンダーフレーム７が支持接触する構成としている。
【００４１】
以上のように構成された組込み型誘導加熱調理器について、以下その動作、作用を説明する。
【００４２】
キッチン天面とトッププレート上面が略同一面となるのでフルフラットな調理スペースが確保できるとともに、本体ユニット１に内蔵するいずれかの部品が故障したり異常を生じた場合に、固定ねじ２１を外すことでキッチン天面９から、本体ユニット１を簡単に外して修理、交換することができる。
【００４３】
以上のように、本実施の形態においては、アンダーフレームをトッププレートの下面に接着固定された支持金具またはキッチンキャビネットのサンギにビス締め固定することにより、キッチン天面とトッププレート上面を略同一面に構成でき、フルフラットな調理スペースを確保することができる。
【００４４】
さらにサービスメンテもしやすく効率的な作業ができる。
【００４５】
また、本実施の形態のキッチン穴開口１１内方のトッププレート６の下方に支持金具（図示せず）を接着固定し、固定ねじ２１でアンダーフレーム７をビス締め固定しても同様の効果が得られる。
【００４６】
（実施の形態３）
図４は、本発明の第３の実施の形態における組込み型誘導加熱調理器のキッチン組込み時の斜視図である。
【００４７】
なお、本実施の形態３の基本構成は実施の形態１と同様であるので、その同様な部分の説明は省略し、相違点を中心に説明する。また実施の形態１と同じ機能には同じ符号を付してその説明を省略する。
【００４８】
図４において、キッチン側およびリビング側のキッチン天面９の手前に操作部ユニット甲３０および操作部ユニット乙３１を配設し、キャビネット１４の中に収納可能なように摺動するよう構成している。
【００４９】
以上のように構成された組込み型誘導加熱調理器について、以下その動作、作用を説明する。
【００５０】
対面キッチンにおいてキッチン側およびリビング側に対向して両側手前に操作部ユニット甲３０および操作部ユニット乙３１を配設していることで対面キッチンとして両側からの調理操作が可能で、使いやすい位置に配設できる。
【００５１】
以上のように、本実施の形態においては、操作部ユニットをキッチン側およびリビング側に対向してそれぞれキッチン天面の手前に配設して、操作部ユニット甲３０および操作部ユニット乙３１をキャビネット内に収納できるようにすることにより、キッチン天面９
からの突出がなく、不用意に接触したり邪魔になることもなく、デザイン性も向上する。
【００５２】
（実施の形態４）
図５は、本発明の第４の実施の形態における組込み型誘導加熱調理器のキッチン組込み時の斜視図である。
【００５３】
なお、本実施の形態４の基本構成は実施の形態１と同様であるので、その同様な部分の説明は省略し、相違点を中心に説明する。
【００５４】
また実施の形態１と同じ機能には同じ符号を付してその説明を省略する。
【００５５】
図５において、キッチン側およびリビング側のトッププレート６の手前側に操作部ユニット甲４０および操作部ユニット乙４１をキッチン側またはリビング側に対向してそれぞれ配設し、手で触ると電気的につながり、操作可能となる静電タッチ式の操作部を構成している。
【００５６】
以上のように構成された組込み型誘導加熱調理器について、以下その動作、作用を説明する。
【００５７】
対面キッチンにおいてキッチン側およびリビング側の両側プレート上に操作部ユニット甲４０および操作部ユニット乙４１に配設した、静電タッチ方式で操作可能なスイッチを操作することで、使いやすいスイッチ操作で調理作業をおこなうことができる。
【００５８】
以上のように、本実施の形態においては、操作部ユニットをキッチン側またはリビング側に対向してそれぞれトッププレートに静電タッチ方式で操作可能なスイッチを設けた２つの操作部ユニットを具備することにより、使いやすくキッチン天面からの突出もなく便利でデザイン性を向上させることができる。
【００５９】
（実施の形態５）
図６は本発明の第５の実施の形態における組込み型誘導加熱調理器のキッチン組込み時の斜視図である。
【００６０】
なお、本実施の形態５の基本構成は実施の形態１と同様であるので、その同様な部分の説明は省略し、相違点を中心に説明する。また実施の形態１と同じ機能には同じ符号を付してその説明を省略する。
【００６１】
図６において、キャビネット１４に載置、接合されたキッチン天面５０は調理スペースの大半に段落ち部５１を設け、キッチン前垂れ面甲５２キッチン前垂れ面乙５３とキッチン側面５４に略同一面となるようにトッププレート５５を構成して段落ち部５１に載置、接合してキッチン天面５０にはシンク側との継ぎ目５６のみシーリング剤１３で接合している。
【００６２】
以上のように構成された組込み型誘導加熱調理器について、以下その動作、作用を説明する。
【００６３】
シンク１６側に継ぎ目５６が唯一形成されるが、キッチン天面５０の大半を高強度、高耐熱ガラス製のトッププレート５５で構成することにより、フルフラットで使い勝手、清掃性、デザイン性を格段に向上させるとともに、調理後高温になった鍋やフライパンの置き場に困ることもなく、人口大理石でできたキッチン天面５０の変色、変形の恐れもなく快適に調理することができ、しかも対面キッチンとして食卓テーブルを兼用するために最
適な環境を演出することができる。
【００６４】
以上のように、本実施の形態においては、トッププレートの端面をキッチン天面の前面と略同一面となるよう配設して、前記キッチン天面を兼用することにより、フルフラットな天面調理スペースを確保するとともに、対面キッチンにおける一家団欒の食卓テーブルとしてキッチン側およびリビング側から自由にアクセスでき楽しむことができる。
【００６５】
（実施の形態６）
図７は、本発明の第６の実施の形態における組込み型誘導加熱調理器のキッチン組込み時の要部断面図である。
【００６６】
なお、本実施の形態６の基本構成は実施の形態１と同様であるので、その同様な部分の説明は省略し、相違点を中心に説明する。
【００６７】
また実施の形態１と同じ機能には同じ符号を付してその説明を省略する。
【００６８】
図７において、本体ユニット１の内蔵部品を冷却するために冷却装置５ａ、５ｂ、５ｃによりキャビネット吸気口６０から取り入れた外気を外郭ケース２の前側面に配設された吸気口６１から吸い込み、外郭ケース２の底面に配設された排気口６２から排出し、排気口６２に接続されたダクト６３から室外に放出されるよう構成している。
【００６９】
以上のように構成された組込み型誘導加熱調理器について、以下その動作、作用を説明する。
【００７０】
吸気口６１および排気口６２がキッチン天面９に配設されていないため、開口穴も凸凹もないフルフラットなすっきりデザインと清掃性、使い勝手を格段に向上することができる。
【００７１】
以上のように、本実施の形態においては、トッププレートおよびキッチン天面に、凸凹がなく穴開口もないフルフラットな調理スペースを確保することにより、対面キッチンとして広い調理スペースを確保するとともに、食卓テーブルとして違和感なく便利で使い勝手のよい食事スペースを確保することができる。
【００７２】
なお、吸気口６１および排気口６２は、キッチン天面９に開口穴を設ける以外の構成であればどのように配設されてもよい。
【産業上の利用可能性】
【００７３】
以上のように、本発明にかかる組込み型加熱調理器は、一般家庭のキッチンに段落ち部を有して組み込まれる全ての誘導加熱調理器に適用できる。
【図面の簡単な説明】
【００７４】
【図１】本発明の実施の形態１における組込み型誘導加熱調理器のキッチン組込み時の要部断面図
【図２】本発明の実施の形態１における組込み型誘導加熱調理器のキッチン組込み時の斜視図
【図３】本発明の実施の形態２における組込み型誘導加熱調理器のキッチン組込み時の要部断面図
【図４】本発明の実施の形態３における組込み型誘導加熱調理器のキッチン組込み時の斜視図
【図５】本発明の実施の形態４における組込み型誘導加熱調理器のキッチン組込み時の斜視図
【図６】本発明の実施の形態５における組込み型誘導加熱調理器のキッチン組込み時の斜視図
【図７】本発明の実施の形態６における組込み型誘導加熱調理器のキッチン組込み時の要部断面図
【図８】従来の組込み型誘導加熱調理器の要部断面図
【図９】従来の組込み型誘導加熱調理器の斜視図
【符号の説明】
【００７５】
１  本体ユニット
２  外郭ケース
３ａ、３ｂ、３ｃ  誘導加熱装置
４ａ、４ｂ、４ｃ  制御装置
５ａ、５ｂ、５ｃ  冷却装置
６  トッププレート
７  アンダーフレーム
８  接着剤
９  キッチン天面
１４  キャビネット（キッチンキャビネット）
１５  操作部ユニット
２０  サンギ
２１  固定ねじ
３０  操作部ユニット甲
３１  操作部ユニット乙
４０  操作部ユニット甲
４１  操作部ユニット乙
【図１】
0005029489.tif 000002
【図２】
0005029489.tif 000003
【図３】
0005029489.tif 000004
【図４】
0005029489.tif 000005
【図５】
0005029489.tif 000006
【図６】
0005029489.tif 000007
【図７】
0005029489.tif 000008
【図８】
0005029489.tif 000009
【図９】
0005029489.tif 000010